(57)【特許請求の範囲】
【請求項１】
高炉の複数の羽口近傍に設置したカメラにより撮影された羽口画像から前記高炉の異常を検知する異常検知方法であって、
事前に前記カメラにより同時に撮影された羽口画像毎に各画素の輝度値に基づいて代表輝度を決定し、該代表輝度によって定まる代表輝度ベクトルを時系列で収集する収集ステップと、
前記時系列で収集した代表輝度ベクトルの主成分分析を行い、主成分ベクトルを抽出する抽出ステップと、
操業時において前記カメラにより同時に撮影された羽口画像から前記代表輝度ベクトルを収集し、該代表輝度ベクトルから前記主成分ベクトル方向に下ろした垂線の長さを評価値として算出する算出ステップと、
前記評価値を所定の閾値と比較することによって前記高炉の異常を検知する異常検知ステップと、
を含むことを特徴とする異常検知方法。
【請求項２】
前記羽口画像内の輝度値の最大値を前記代表輝度として前記代表輝度ベクトルを収集することを特徴とする請求項１に記載の異常検知方法。
【請求項３】
前記羽口画像内の輝度値の平均値を前記代表輝度として前記代表輝度ベクトルを収集することを特徴とする請求項１に記載の異常検知方法。
【請求項４】
前記羽口画像内の輝度値の最小値を前記代表輝度として前記代表輝度ベクトルを収集することを特徴とする請求項１に記載の異常検知方法。
【請求項５】
請求項１〜４のいずれか１つに記載の異常検知方法を用いて高炉の異常を検知し、前記高炉の異常が検知されたか否かに応じて前記高炉の操業条件を制御することを特徴とする高炉操業方法。
【発明の詳細な説明】
【技術分野】
【０００１】
本発明は、高炉の複数の羽口近傍に設置したカメラにより撮影された羽口画像から高炉の異常を検知する異常検知方法および高炉操業方法に関する。
【背景技術】
【０００２】
安定した高炉操業を実現するための判断基準の１つとして、高炉の羽口を介して観察される高炉内レースウェイ部の輝度情報が挙げられる。この輝度情報は、炉熱の高低や微粉炭の燃焼度、未溶融鉱石の落下情報といった高炉の操業上重要な情報を含む。羽口を介した輝度情報の観察は、１日に数回程度、オペレータが覗き窓を覗くことで行う官能検査により実施されている。また、近年では、羽口近傍にカメラを設置し、このカメラによって撮影される画像（羽口画像）を監視室内でモニタ表示して集中監視する場合も増えている（例えば、特許文献１を参照）。
【０００３】
ここで、羽口は、高炉の周方向に複数設けられている。覗き窓を直接覗く場合および監視室で集中監視する場合のいずれの場合も、オペレータは、高炉周方向の複数の羽口毎の輝度情報のばらつき（高炉周方向での輝度情報の偏り）を注視することによって、各羽口近傍における異常の発生を直感的に検知している。
【０００４】
一方、特許文献２には、高炉周方向の複数の羽口のうちの３箇所以上にカメラや輝度計を取り付け、各箇所における上方からの未溶融鉱石の落下回数を計算することで検出した落下頻度に基づいて、炉頂から投入する鉱石とコークスの比率を調整する技術が開示されている。
【先行技術文献】
【特許文献】
【０００５】
【特許文献１】特開２００４−１８３９５６号公報
【特許文献２】特開平５−１８６８１１号公報
【発明の概要】
【発明が解決しようとする課題】
【０００６】
しかしながら、上記した特許文献２の技術は、未溶融鉱石の落下回数を高炉全体でくまなく検知するという目的のために複数の羽口近傍を撮影した羽口画像を利用するものであり、高炉の異常を検知するためにオペレータが注視している上記高炉周方向での輝度情報の偏りを検知するものではない。
【０００７】
本発明は、上記のような課題を解決するためになされたものであり、高炉周方向における輝度情報の偏りを自動的に検知することができる異常検知方法および高炉操業方法を提供することを目的とする。
【課題を解決するための手段】
【０００８】
上述した課題を解決し、目的を達成するため、本発明にかかる異常検知方法は、高炉の複数の羽口近傍に設置したカメラにより撮影された羽口画像から前記高炉の異常を検知する異常検知方法であって、事前に前記カメラにより同時に撮影された羽口画像毎に各画素の輝度値に基づいて代表輝度を決定し、該代表輝度によって定まる代表輝度ベクトルを時系列で収集する収集ステップと、前記時系列で収集した代表輝度ベクトルの主成分分析を行い、主成分ベクトルを抽出する抽出ステップと、操業時において前記カメラにより同時に撮影された羽口画像から前記代表輝度ベクトルを収集し、該代表輝度ベクトルから前記主成分ベクトル方向に下ろした垂線の長さを評価値として算出する算出ステップと、前記評価値を所定の閾値と比較することによって前記高炉の異常を検知する異常検知ステップと、を含むことを特徴とする。
【発明の効果】
【０００９】
本発明によれば、高炉周方向における輝度情報の偏りを自動的に検知することができる。
【図面の簡単な説明】
【００１０】
【図１】図１は、異常検知装置が適用される高炉の概略構成例を示す模式図である。
【図２】図２は、異常検知装置の構成例を示す模式図である。
【図３】図３は、羽口画像の一例を示す模式図である。
【図４】図４は、羽口画像の輝度値の時系列変化の一例を示す図である。
【図５】図５は、８次元空間における時系列の代表輝度ベクトルの分布例を示す図である。
【図６】図６は、主成分方向および主成分からの逸脱方向を説明する図である。
【図７】図７は、評価値の算出を説明する説明図である。
【図８】図８は、評価値を用いた異常判定を説明する図である。
【図９】図９は、指標抽出処理の処理手順を示すフローチャートである。
【図１０】図１０は、異常検知処理の処理手順を示すフローチャートである。
【発明を実施するための形態】
【００１１】
以下、図面を参照して、本発明の異常検知方法および高炉操業方法を実施するための形態について説明する。なお、この実施の形態によって本発明が限定されるものではない。また、図面の記載において、同一部分には同一の符号を付して示している。
【００１２】
図１は、本実施の形態の異常検知装置１０（図２を参照）が適用される高炉１の概略構成例を示す模式図である。図１に示すように、高炉１は、炉頂から鉄鉱石２１とコークス２３とを装入し、炉底で得られた銑鉄（溶銑）２５をスラグ２７と分離して炉外へ排出するものであり、炉下部に設けられた羽口１１から熱風を吹き込み、コークス２３を熱源に鉄鉱石２１を還元・溶解して溶銑２５を得る。スラグ２７は、溶銑２５よりも比重が小さいため、溶銑２５の上層に分離する。
【００１３】
この高炉１において、羽口１１には、熱風を送風するための送風管１３の一端が接続される。送風管１３の途中には、送風管１３を貫通してランス１５が設置されており、このランス１５によって熱風中に微粉炭が投入される（矢印Ｙ１１）。送風管１３内を送風される熱風（矢印Ｙ１３）は、微粉炭とともに羽口１１から高炉１の内部へと導入され、主として羽口１１の熱風送風方向先方のレースウェイ１７と呼ばれる燃焼空間において燃焼に寄与する。
【００１４】
送風管１３の羽口１１と対向する他端側には、羽口観察ユニット３が設置されている。この羽口観察ユニット３は、操業中の高炉１の状況、具体的には、送風管１３内の様子や羽口１１を介して高炉１内の様子（炉況）を撮影するための羽口カメラ（カメラ）３１と、高炉１の状況を目視によって観察するための覗き窓３３と、図１中に一点鎖線で示す光路を羽口カメラ３１側と覗き窓３３側とに分岐させるためのハーフミラー３５とを設置してユニット化したものである。
【００１５】
ここで、羽口１１は、高炉１の周方向に複数配列されて設けられており、羽口観察ユニット３は、これら複数の羽口１１と一端が接続された送風管１３の他端側の全部または一部に設置され、各々の羽口カメラ３１が異常検知装置１０を構成する。
【００１６】
図２は、本実施の形態の異常検知装置１０の構成例を示す模式図であり、高炉１の周方向に配列された羽口１１と、羽口観察ユニット３として設置される羽口カメラ３１との位置関係を併せて示している。本実施の形態では、図２に示すように、高炉１の周方向に沿って略等間隔で選択された８つの羽口１１に羽口カメラ３１（３１−１〜３１−８）を設置している。各羽口カメラ３１は、高炉１の状況を撮影した羽口画像の画像データを随時後述する画像取得装置５に出力する。なお、羽口カメラ３１は、少なくとも複数の羽口１１に設置されていればよく、どの羽口１１に設置するのかやその数は適宜設定してよい。
【００１７】
そして、異常検知装置１０は、上記したように複数（例えば８つ）の羽口１１に設置された複数の羽口カメラ３１と、画像取得装置５と、画像処理装置７とを含む。画像取得装置５および画像処理装置７は、ワークステーションやパソコン等の汎用コンピュータを用いて実現される。
【００１８】
画像取得装置５は、高炉１の操業中に各羽口カメラ３１により連続的に撮影される羽口画像（動画）の画像データを随時取り込んで画像処理装置７に転送する。
【００１９】
画像処理装置７は、主な機能部として、入力部７１と、表示部７３と、記録部７５と、処理部７７とを含む。
【００２０】
入力部７１は、高炉１の異常検知等に必要な情報を入力するためのものであり、操作入力に応じた入力信号を処理部７７に出力する。この入力部７１は、キーボードやマウス、タッチパネル、各種スイッチ等の入力装置によって実現される。表示部７３は、例えば各羽口カメラ３１により撮影される羽口画像のモニタ表示や、高炉１の異常報知等を行うためのものであり、処理部７７から入力される表示信号に基づいて各種画面を表示する。この表示部７３は、ＬＣＤやＥＬディスプレイ、ＣＲＴディスプレイ等の表示装置によって実現される。
【００２１】
記録部７５は、更新記録可能なフラッシュメモリ、内蔵あるいはデータ通信端子で接続されたハードディスク、メモリカード等の情報記録媒体およびその読み書き装置等によって実現され、用途に応じた記録装置を適宜採用して用いることができる。この記録部７５には、画像処理装置７を動作させ、この画像処理装置７が備える種々の機能を実現するためのプログラムや、このプログラムの実行中に使用されるデータ等が事前に記録され、あるいは処理の都度一時的に記録される。
【００２２】
処理部７７は、ＣＰＵ等で実現され、入力部７１から入力される入力信号、記録部７５に記録されるプログラムやデータ等に基づいて、画像処理装置７を構成する各部への指示やデータの転送等を行って画像処理装置７の動作を制御する。この処理部７７は、代表輝度ベクトル収集部７７１と、指標抽出部７７３と、異常検知処理部７７５とを含み、羽口画像を画像処理して高炉１の状況を監視し、高炉１の異常を検知する処理を行う。
【００２３】
次に、異常検知装置１０が行う高炉１の異常検知の原理について説明する。図３は、羽口画像の一例を示す模式図である。図３に示すように、羽口画像には、羽口１１奥の燃焼する高炉１内の様子とともに、羽口１１手前のランス１５や、ランス１５から投入される微粉炭２９が煙状に撮影される。このような羽口画像の輝度情報は、上記したように、例えば炉熱の高低や微粉炭の燃焼度、未溶融鉱石の落下情報といった高炉１の操業上重要な情報を含んでおり、高炉１の状況が正常なときには各羽口カメラ３１−１〜３１−８において同じような羽口画像が撮影される一方、正常時とは異なる状況（本明細書において、「異常」と呼ぶ。）が発生すると、発生した異常が撮影された羽口画像において輝度値が低下し、あるいは上昇する。
【００２４】
図４は、複数の羽口１１の羽口画像から得られる輝度値の時系列変化の一例を示す図である。図４では、４枚の羽口画像から得た輝度値変化Ｌ１１，Ｌ１３，Ｌ１５，Ｌ１７を示している。
【００２５】
正常時の羽口画像の輝度値変化は、時間推移に伴って起こる通常の炉熱変化（正常炉況変化）に応じた規則性を示す。例えば、図４中に破線で囲って示す期間Ｔ１１のように、各羽口画像の輝度値は、その値に多少の大小はあるものの同じような軌跡を描いて変化する。すなわち、高炉１内の温度が上昇傾向にある期間Ｔ１１１では輝度値は全ての羽口画像で漸次上昇するし、高炉１内の温度が維持される期間Ｔ１１３では輝度値変化は平坦となり、高炉１内の温度が下降傾向にある期間Ｔ１１５では輝度値は漸次下降する。
【００２６】
これに対し、図４中に一点鎖線で囲って示す期間Ｔ１３のように、高炉１の一部で異常の発生による炉況変化（異常炉況変化）が生じると、この異常炉況変化を撮影した羽口画像の輝度値変化Ｌ１５の方向が、その他の羽口画像の輝度値変化Ｌ１１，Ｌ１３，Ｌ１７が描く正常炉況変化の方向から部分的に逸脱する。さらに、図４中に二点鎖線で囲って示す期間Ｔ１５のように、高炉１の全体で異常が発生して異常炉況変化が拡大すると、各羽口画像の輝度値変化Ｌ１１，Ｌ１３，Ｌ１５，Ｌ１７の方向が正常炉況変化の方向から全体的に逸脱し、各々が別個の変化傾向を示すようになる。
【００２７】
以上のような輝度値の時系列変化に現れる異常の種類としては、特定の羽口１１または全部の羽口１１における炉熱変化や微粉炭燃焼度の異常、未溶融鉱石の落下によるものの他にも、様々なものが考えられる。例えば、送風管１３内でランス１５が折れた場合が挙げられる（ランス折損時）。ランス１５が折れて羽口カメラ３１の視界から外れる等すると、それまでランス１５によって遮られていた羽口１１奥の様子が撮影されるようになるため、正常時の羽口画像と比較して画像内の高輝度領域が増大する。また、別の異常として、高炉１内の溶融物レベル（すなわちスラグ２７の上面レベル）が操業上安全な液位を超えて上昇する場合がある（ノロ湧き時）。溶融物レベルの上昇は、羽口１１を溶損する等操業トラブルの原因となる。溶融物レベルが羽口カメラ３１の視界まで達すると、羽口画像にスラグ２７が上昇してくる様子が撮影されるため、画像内の低輝度領域が増大する。また、別の異常として、ランス１５から投入される微粉炭の飛散方向が変化する場合がある（ＰＣＩ流れ方向異常時）。このような場合も、変化の前後で画像内の輝度値の高低が変動する。
【００２８】
本実施の形態では、各羽口画像から得られる前述のような輝度値の時系列変化に着目し、事前に指標を抽出する（指標抽出処理）。そのために、先ず、操業中に撮影される８枚の羽口画像毎に決定した代表輝度を該当する羽口画像を撮影した羽口カメラ３１−１〜３１−８の代表輝度とし、次式（１）に示す１組のベクトル情報（代表輝度ベクトル）Ｖ（ｔ）として収集する。
【数１】
0005644910.tif 000002
【００２９】
ここで、代表輝度としては、例えば、該当する羽口画像内の各画素の輝度値の最大値（最大輝度）、最小値（最低輝度）、平均値（平均輝度）、中間値（中間輝度）等を用いることができる。いずれの値を代表輝度とするのかは、検知したい異常の種類に応じて最適なものを選択すればよい。例えば、ノロ湧き時を検知したい場合であれば、低輝度領域の増大が反映される平均輝度を用いる。
【００３０】
以上のようにして収集される代表輝度ベクトルＶ（ｔ）は、Ｎ次元空間（Ｎは羽口カメラ３１の数；本実施の形態では８次元空間）内の１点によって表すことができる。図５は、８次元空間における時系列の代表輝度ベクトルＶ（ｔ）の分布例を示す図である。十分な数の代表輝度ベクトルＶ（ｔ）を収集すると、正常時の羽口画像から収集した代表輝度ベクトルＶ（ｔ）を表す８次元空間内の点Ｐ１は、代表輝度ベクトルＶ（ｔ）の主要な主成分の方向、すなわち、輝度値の正常炉況変化の方向に分散した楕円体状に分布する。
【００３１】
図６は、主成分方向Ａおよび主成分からの外れ度合を説明する図である。代表輝度ベクトルＶ（ｔ）を表す点のうち、正常時の点Ｐ２１は、上記したように、代表輝度ベクトルＶ（ｔ1）の主成分方向（楕円体の長軸方向）Ａに分散した楕円体状に分布する。例えば正常操業の範囲で図５に示されるような輝度変化が生じている場合は、代表輝度ベクトルＶ（ｔ２）を表す点Ｐ２３は同じく楕円体状分布内に存在する。これに対し、異常時では、代表輝度の１つまたは複数が正常炉況変化の方向から外れて想定外方向へと変化するため、主成分方向Ａに直交する主成分から外れる成分（以下、「外れ成分」と呼ぶ。）が増加する。したがって、図４の期間Ｔ１３のように高炉１の一部で異常炉況変化が生じたときの代表輝度ベクトルＶ（ｔ３）を表す点Ｐ２５は、楕円体状の分布内からその想定外変化の方向へと外れる（矢印Ｙ２３）。
【００３２】
そこで、指標抽出処理では、上記したように収集した十分な数の代表輝度ベクトルＶ（ｔ）に対して主成分分析を行い、主成分方向Ａにからの外れ度合を指標として抽出する。
【００３３】
異常検出の際は、同様の要領で操業中に撮影される羽口画像から随時代表輝度ベクトルＶ（ｔ）を収集し、評価値を閾値処理することで高炉１の異常を検知する（異常検知処理）。図７は、評価値の算出を説明する説明図であり、図８は、評価値を用いた異常判定を説明する図である。
【００３４】
例えば、図７に示すように、操業時において点Ｐ３によって表される代表輝度ベクトルＶ（ｔ4）を新たに収集したとする。評価値は、収集した代表輝度ベクトルＶ（ｔ4）と、主成分ベクトルＡ（長さ１の単位ベクトル）との内積Ａｔ・Ｖ（ｔ４）を用いて√［｛Ｖ（ｔ４）｝２−｛Ａｔ・Ｖ（ｔ４）｝２］により計算する。この評価値は、代表輝度ベクトルＶ（ｔ４）から主成分ベクトルＡ方向に下ろした垂線の長さであり、代表輝度ベクトルＶ（ｔ4）の主成分方向からの外れ度合を表し、外れ度合が増加するほど（想定外方向への変化が大きいほど）評価値は大きくなる。
【００３５】
そして、評価値を用いた異常判定では、評価値すなわち主成分から外れる成分の割合が、図８中にハッチングを付して示すように−α以上α以下の閾値範囲として予め定められる正常範囲に属するのか、閾値範囲外である異常範囲に属するのかによって異常を判定する。例えば、８次元空間内の点Ｐ４１によって表される代表輝度ベクトルＶ（ｔ5）のように評価値が閾値範囲内の場合は、高炉１の状況を正常と判定する。一方、点Ｐ４３によって表される代表輝度ベクトルＶ（ｔ6）のように評価値が閾値範囲外の場合は、高炉１の状況を異常と判定する。
【００３６】
次に、異常検知装置１０が行う具体的な処理手順について説明する。図９は、画像処理装置７が行う指標抽出処理の処理手順を示すフローチャートである。また、図１０は、画像処理装置７が行う異常検知処理の処理手順を示すフローチャートである。異常検知装置１０は、画像処理装置７が事前に図９の処理手順に従って指標抽出処理を行った上で、画像処理装置７が図１０の処理手順に従って異常検知処理を行うことで異常検知方法および高炉操業方法を実施する。
【００３７】
すなわち、指標抽出処理では、図９に示すように、代表輝度ベクトル収集部７７１が先ず、事前に画像取得装置５から転送される８枚の羽口画像から例えば所定の時間間隔毎等のタイミングで代表輝度ベクトルＶ（ｔ）を収集する（ステップＳ１１；収集ステップ）。具体的には、代表輝度ベクトル収集部７７１は、該当するタイミングで各羽口カメラ３１により撮影された８枚の羽口画像毎に各画素の輝度値に基づいて代表輝度を決定し、決定した８枚の羽口画像毎の代表輝度によって定まる上記式（１）に示す代表輝度ベクトルＶ（ｔ）を得る。そして、代表輝度ベクトル収集部７７１は、この代表輝度ベクトルＶ（ｔ）の収集を所定期間行うことで、一連の複数の代表輝度ベクトルＶ（ｔ）を時系列で収集する。
【００３８】
続くステップＳ１３では、指標抽出部７７３が、以上のように過去の操業時に収集した一連の代表輝度ベクトルＶ（ｔ）に対して主成分分析を行い、主成分ベクトルＡを抽出する（抽出ステップ）。そして、指標抽出部７７３は、抽出した主成分ベクトルＡを記録部７５に保存する（ステップＳ１５）。
【００３９】
また、以上のようにして指標抽出処理を行った後の操業時においては、図１０に示す異常検知処理を例えば所定の時間間隔毎に実行する。この異常検知処理では、先ず、算出ステップとしてステップＳ２１〜ステップＳ２３の処理を行う。すなわち、代表輝度ベクトル収集部７７１が先ず、図９のステップＳ１１と同様の手順により、該当するタイミングで画像取得装置５から転送された８枚の羽口画像から代表輝度ベクトルＶ（ｔ）を収集する（ステップＳ２１）。その後、異常検知処理部７７５が、記録部７５から主成分ベクトルＡを読み出し、ステップＳ２１で収集した代表輝度ベクトルＶ（ｔ）と、読み出した主成分ベクトルＡとの内積Ａt・Ｖ（ｔ）により√［｛Ｖ（ｔ）｝２−｛Ａｔ・Ｖ（ｔ）｝２］を評価値として算出する（ステップＳ２３）。
【００４０】
続いて、異常検知ステップとしてステップＳ２５〜ステップＳ２７の処理を行う。すなわち、異常検知処理部７７５は、ステップＳ２３で算出した評価値を閾値処理し（ステップＳ２５）、評価値が所定の閾値範囲外か否かを次式（２）に従って判定する（ステップＳ２７）。
【数２】
0005644910.tif 000003
【００４１】
そして、異常検知処理部７７５は、評価値が閾値範囲外の場合には（ステップＳ２７：Ｙｅｓ）、高炉１に異常が発生したと判定してその旨を表示部７３に警告表示する処理を行う（ステップＳ２９）。なお、ここでの処理は、少なくとも高炉１に異常が発生したことをオペレータに報知できればよく、スピーカ等の出力装置によって警告音を出力して異常の発生を報知する構成としてもよい。また、ステップＳ２９において高炉１に異常が発生したと判定したか否かに応じて高炉１の操業条件を制御し、発生した異常への対処を行う。
【００４２】
以上説明したように、本実施の形態では、各羽口カメラ３１−１〜３１−８により同時に撮影された羽口画像毎の８つの代表輝度を１組とした代表輝度ベクトルＶ（ｔ）に対する主成分分析を行い、主成分ベクトルＡを指標として抽出することとした。そして、操業時に収集した代表輝度ベクトルＶ（ｔ）と主成分ベクトルＡとの内積等により計算される主成分からの外れ度合を評価値として算出し、異常の発生を検知することとした。
【００４３】
これによれば、高炉１周方向の複数の羽口１１近傍の羽口カメラ３１−１〜３１−８により撮影した羽口画像の一部または全部において、その輝度値が正常炉況変化の方向とは異なる想定外方向へと不均一に変化した場合に、操業中の高炉１において正常時の高炉１の状況とは異なる状況（異常）が発生したとして検知することができる。したがって、従来は、オペレータが、覗き窓３３を覗くことで各羽口１１の近傍を目視し、あるいは、監視室において各羽口１１近傍の羽口画像を集中監視することによって直感的に検知していた高炉１周方向における輝度情報の偏りを自動的に検知することができる。
【符号の説明】
【００４４】
１      高炉
１１      羽口
１３      送風管
１５      ランス
１７      レースウェイ
２１      鉄鉱石
２３      コークス
２５      溶銑
２７      スラグ
１０      異常検知装置
３      羽口観察ユニット
３１（３１−１〜３１−８）      羽口カメラ
５      画像取得装置
７      画像処理装置
７１      入力部
７３      表示部
７５      記録部
７７      処理部
７７１      代表輝度ベクトル収集部
７７３      指標抽出部
７７５      異常検知処理部
【要約】      （修正有）【課題】高炉周方向における輝度情報の偏りを自動的に検知することができる異常検知方法および高炉操業方法を提供する。【解決手段】異常検知装置１０は、高炉１の複数の羽口１１近傍に設置した羽口カメラ３１および画像処理装置７を含む。画像処理装置７の代表輝度ベクトル収集部７７１は、事前に羽口カメラにより同時に撮影された羽口画像毎に各画素の輝度値に基づいて代表輝度を決定し、代表輝度ベクトルを時系列で収集する。指標抽出部７７３は、時系列で収集した代表輝度ベクトルの主成分分析を行い、主成分ベクトルを抽出する。また、代表輝度ベクトル収集部は、操業時において羽口カメラにより同時に撮影された羽口画像から代表輝度ベクトルを収集する。異常検知処理部７７５は、収集した代表輝度ベクトルから主成分ベクトル方向に下ろした垂線の長さを評価値として算出し、評価値を所定の閾値と比較することによって高炉の異常を検知する。【選択図】図２【図１】
0005644910.tif 000004
【図２】
0005644910.tif 000005
【図３】
0005644910.tif 000006
【図４】
0005644910.tif 000007
【図５】
0005644910.tif 000008
【図６】
0005644910.tif 000009
【図７】
0005644910.tif 000010
【図８】
0005644910.tif 000011
【図９】
0005644910.tif 000012
【図１０】
0005644910.tif 000013